(57)【特許請求の範囲】
【請求項１】
前面に開口した外箱内に収納体が収納され、収納体を外箱内から前下方に引き下ろし自在とするリンク機構を備えており、リンク機構は、一端部が収納体の側面部に回動自在に軸支されると共に他端部が外箱の側面部側に取り付けられる軸支ブロックに回動自在に軸支される前リンクと後リンクとよりなる平行リンクで構成され、前リンク又は後リンクの下端部に取り付けられる軸の少なくとも一方に、収納体を前下方に回動して引き下ろす際に抵抗となるダンパー装置が設けられてなる昇降収納装置であって、外箱の側面部の内面に取付基板がネジ具で取り付けられると共に、ダンパー装置や軸支ブロック等を保持する機構板が取付基板に取り付けられ、機構板の取付基板側の面にネジ具の頭部が収納される凹部が形成され、取付基板を取り付けたネジ具の頭部が凹部に納まるように機構板を取付基板に密着させた状態でネジ具により取付基板が外箱の側面部にネジ止めされてなることを特徴とする昇降収納装置。
【請求項２】
機構板には、ダンパー装置を覆うダンパーカバーと軸支ブロック等の機構部を覆う機構カバーとが一体に設けられ、機構板に設けられる凹部をダンパーカバー内及び機構カバー内に配置してなることを特徴とする請求項１記載の昇降収納装置。
【請求項３】
取付基板に、機構板の凹部を取付基板のネジ具の頭部に対して位置決めするための折曲片を設けてなることを特徴とする請求項１記載の昇降収納装置。
【発明の詳細な説明】
【０００１】
【発明の属する技術分野】
本発明は、昇降収納装置に関し、詳しくは機構板と取付基板と外箱の側面部とを隙間なく取り付ける技術に関するものである。
【０００２】
【従来の技術】
従来より、前面に開口した外箱内に収納体が収納され、収納体を外箱内から前下方に引き下ろし自在とするリンク機構を備え、このリンク機構は、一端部が収納体の側面部に回動自在に軸支されると共に他端部が外箱の側面部側に取り付けられる軸支ブロックに回動自在に軸支される前リンクと後リンクとよりなる平行リンクで構成された昇降収納装置が知られている。
【０００３】
本出願人は、既に特願平１１−１２７６７８号において、図７に示すように、後リンク７の下端部に取り付けられる回転軸１９に、収納体４を前下方に回動して引き下ろす際に抵抗となる渦巻きバネ３０を設けると共に、後リンク７の回転軸１９よりも下端部にガススプリング等のダンパー装置３１を取り付け、これら渦巻きバネ３０やダンパー装置３１を覆うカバー８を機構板１０に一体に設け、この機構板１０を外箱２の側面部３に取り付けられた取付基板１１にネジ具１２により取り付けるようにしている。ここで、取付基板１１を設けることによって収納体４を外箱２内に組み込む際に、機構板１０が外箱２の側面部３２ａの内面に当たって傷が付くのを防止できるようになっている。
【０００４】
【発明が解決しようとする課題】
ところが、上記特願平１１−１２７６７８号においては、取付基板１１と機構板１０とを外箱２にネジ止めするために、取付基板１１と機構板１０の両方に凸状のバーリング加工を施しており、このバーリング加工の凸部３２が取付基板１１と機構板１０との対向面に向けられているために、施工状態では機構板１０と取付基板１１との間に凸部３２による隙間Ｇ（例えば２ｍｍ）が生じて、見栄えが悪くなるだけでなく、隙間Ｇ内に害虫が入ったり、卵を産み付けたりするという問題が考えられる。しかも、施工時においても、機構板１０及び取付基板１１にそれぞれ設けられたバーリング加工の凸部３２同士を位置合わせする際に、機構板１０が取付基板１１に対してずれ動き易くなり、位置合わせがしにくくなり、このためにネジ止め作業に手間がかかるという問題もある。
【０００５】
本発明は、上記の課題に鑑みてなされたものであって、その目的とするところは、取付基板からネジ具の頭部が突出していても機構板を取付基板に隙間なく密着させることができると共に、機構板の取付基板に対する位置合わせ及びネジ止めをワンタッチで容易に行うことができ、施工作業のスピードアップ化を図り、作業効率を向上させることができる昇降収納装置を提供するにある。
【０００６】
【課題を解決するための手段】
上記課題を解決するために本発明にあっては、前面に開口した外箱２内に収納体４が収納され、収納体４を外箱２内から前下方に引き下ろし自在とするリンク機構５を備えており、リンク機構５は、一端部が収納体４の側面部に回動自在に軸支されると共に他端部が外箱２の側面部側に取り付けられる軸支ブロックに回動自在に軸支される前リンク６と後リンク７とよりなる平行リンクで構成され、前リンク６又は後リンク７の下端部に取り付けられる軸の少なくとも一方に、収納体４を前下方に回動して引き下ろす際に抵抗となるダンパー装置が設けられてなる昇降収納装置１であって、外箱２の側面部３の内面に取付基板１１がネジ具１２で取り付けられると共に、ダンパー装置や軸支ブロック等を保持する機構板１０が取付基板１１に取り付けられ、機構板１０の取付基板１１側の面１０ａにネジ具１２の頭部１２ａが収納される凹部１３が形成され、取付基板１１を取り付けたネジ具１２の頭部１２ａが凹部１３に納まるように機構板１０を取付基板１１に密着させた状態でネジ具１２により取付基板１１が外箱２の側面部３にネジ止めされてなることを特徴としており、このように構成することで、ネジ具１２の頭部１２ａに妨げられることなく機構板１０を取付基板１１に密着させることができ、従って、取付基板１１によって収納体４を外箱２内に組み込む際に機構板１０が外箱２の側面部３の内面に当たって傷が付くのを防止しながら、施工状態では機構板１０と取付基板１１との間に従来のような隙間が生じるのを防止でき、さらに施工時にはネジ具１２の頭部１２ａを凹部１３内に収納することで機構板１０を取付基板１１に対してワンタッチで位置決めできるようなる。
【０００７】
また上記機構板１０には、ダンパー装置を覆うダンパーカバー９と軸支ブロック等の機構部を覆う機構カバー８とが一体に設けられ、機構板１０に設けられる凹部１３をダンパーカバー９内及び機構カバー８内に配置してなるのが好ましく、この場合、仮に機構板１０の取付基板１１側の面１０ａとは反対側の面１０ｂに、凹部１３による突起部１４が突出した場合でも、突起部１４をダンパーカバー９及び機構カバー８により覆い隠すことができる。
【０００８】
また上記取付基板１１に、機構板１０の凹部１３を取付基板１１のネジ具１２の頭部１２ａに対して位置決めするための折曲片１６を設けてなるのが好ましく、この場合、凹部１３にネジ具１２の頭部１２ａが収納されたかどうかを外部から目で見ることができなくても、折曲片１６によって凹部１３にネジ具１２の頭部１２ａが収納されたことを確実に知ることができる。
【０００９】
【発明の実施の形態】
以下、本発明を添付図面に示す実施形態に基づいて説明する。
【００１０】
本例の昇降収納装置１は、図５に示すように、前面が開口した外箱２と、外箱２内に収納される収納体４と、収納体４を外箱２に対して回転自在に軸支して収納体４を前下方に引き下ろし自在とするリンク機構５と、外箱２の内面に取り付けられる取付基板１１と、取付基板１１の内面に取り付けられる機構板１０とで主体が構成されている。
【００１１】
外箱２は天袋のようなもので、壁の上部や天井の下面部のような部屋の高所に取り付けられるものである。収納体４は上方及び前方に開口した籠状をしており、その両側面が軸支板２０を介してリンク機構５に枢支されている。
【００１２】
リンク機構５は、図１に示すように、前リンク６と後リンク７とよりなる平行リンクにより構成してある。前リンク６及び後リンク７の各上端部６ａ，７ａは、収納体４の側面部に取り付けられる軸支板２０に回転自在に軸支されており、前リンク６及び後リンク７の各下端部６ｂ，７ｂに取り付けられる各回転軸１８，１９は、機構カバー８内に設けられた軸支ブロック（図示せず）の軸受部にそれぞれ回転自在に軸支されていると共に、後リンク７の下端部の回転軸１９には収納体４を引き下ろす際の抵抗となる渦巻きバネ（図示せず）が取り付けられている。さらに、後リンク７の回転軸１８よりも下端部から後方に向けてダンパー連結具２１が延長されており、このダンパー連結具２１の先端にはダンパーカバー９で覆われたガススプリング等のダンパー装置（図示せず）が取り付けられており、このダンパー装置により収納体４を昇降させる際の衝撃を緩和できるようになっている。なお図１中の２２は収納体４を外箱２内に収納したときに収納体４を収納状態で保持するためのストッパーである。
【００１３】
上記軸支ブロックや渦巻きバネなどの機構部を覆う機構カバー８と、ダンパー装置を覆うダンパーカバー９とが、側面視略Ｌ字状の機構板１０にそれぞれ一体に設けられている。この機構板１０は取付基板１１を介して外箱２の側面部３２ａの内面に取り付けられる。
【００１４】
取付基板１１は、例えば図２に示すように、側面視略Ｌ字状の金属製薄板（ｔ＝２）で構成されており、ネジ具１２を構成するタッピンネジのようなネジ２３にて外箱２の側面部３にネジ止めされている。取付基板１１は、収納体４を外箱２内に組み込む際に機構板１０が外箱２の側面部３２ａの内面に当たって外箱２に傷が付くのを防止する働きをする。なおネジ２３の数は図２の例では６本であるが、ネジ２３の数及びその取り付け位置は限定されない。
【００１５】
一方、機構板１０の取付基板１１側の面１０ａには、上記ネジ２３の頭部１２ａを収納するための凹部１３が形成されている。本例では、各凹部１３は上記６本のネジ２３の頭部１２ａに各々対応する位置に設けられている。また、機構板１０における各凹部１３とは別の場所に複数個（例えば５個）のネジ孔２７が設けられており、取付基板１１には各ネジ孔２７に対応する位置にそれぞれネジ孔６０が設けられており、ネジ具４０を機構板１０から取付基板１１を介して外箱２の側面部３に対してネジ止めできるようになっている。そして、機構板１０を外箱２の側面部３に取り付けることで、ダンパーカバー９及びこれにより覆われたダンパー装置と、機構カバー８及びこれにより覆われた軸支ブロック、渦巻きバネ等の機構部とを同時に外箱２の側面部３に取り付け可能となっている。
【００１６】
さらに、取付基板１１の機構板１０側の面１１ａであって、前リンク６の下端部の回転軸１８と対向する位置には、図３（ｃ）に示すように、回転軸１８のカシメにより生じた突出部分２５（図６）を収納するための収納凹所１５が設けられており、取付基板１１と機構板１０とを密着させる際に回転軸１８のカシメにより生じた突出部分２５が妨げとならないようにしてある。
【００１７】
また、取付基板１１の下端部には、図４（ａ）に示すように、外箱２の側面部３から離れる方向に略Ｌ字状に屈曲させた機構板載置部２４が設けられており、この機構板載置部２４上に機構板１０の下端部１０ｃを走行自在に載置できるようになっている。さらに機構板載置部２４の前端部には図４（ｂ）に示すように、上方に向かって折曲片１６が設けられている。一方、機構板１０の前端下部には、上記折曲片１６に当接する当接部２６が設けられており、機構板１０の下端部１０ｃを取付基板１１の機構板載置部２４に乗せて前方に走行させて当接部２６を折曲片１６に当接させることにより、機構板１０を取付基板１１に対して正確に位置決めでき、この位置決め状態で機構板１０の各凹部１３が取付基板１１のネジ２３の各頭部１２ａに位置合わせされるようになっている。
【００１８】
しかして、機構板１０の取付基板１１側の面１０ａに、機構板１０を外箱２の側面部３にネジ止めするためのネジ２３の頭部１２ａを納める凹部１３を設けたので、図３（ａ）のように取付基板１１をネジ２３で外箱２に取り付けた後に、機構板１０を取付基板１１に取り付ける。このとき、図２の矢印イで示すように、機構板１０を取付基板１１の折曲片１６の上を乗り越えて、機構板１０の下端部１０ｃを取付基板１１の機構板載置部２４に乗せ、その後、図２の矢印ロで示すように、機構板１０を前方に走行させて機構板１０の当接部２６を取付基板１１の折曲片１６に当てることで、機構板１０が取付基板１１に対して正確な位置に位置決めされて、機構板１０の各凹部１３が取付基板１１のネジ２３の各頭部１２ａに位置合わせされた状態となる。これにより、凹部１３にネジ２３の頭部１２ａが収納されたかどうかを外部から目で見ることができなくても、当接部２６を折曲片１６に当てるだけで凹部１３にネジ２３の頭部１２ａが収納されたことを確実に知ることができ、施工ミスを防止できるようになる。
【００１９】
そして、上記のように機構板１０に設けた６個の凹部１３内に６本のネジ２３の頭部１２ａがそれぞれ収納されることで、ネジ２３の頭部１２ａに妨げられることなく機構板１０を取付基板１１に密着させることできる。その後、図３（ｂ）のようにネジ具４０を用いて機構板１０を取付基板１１を介して外箱２の側面部３にネジ止めすることによって、取付基板１１を機構板１０に密着させた状態で機構板１０を取付基板１１を介して外箱２に取り付けることができる（図１の状態）。つまり、取付基板１１から機構板１０側に向かってネジ２３の頭部１２ａが突出していても、この頭部１２ａを納める凹部１３を機構板１０に設けることによって機構板１０を取付基板１１に密着させることができる。
【００２０】
従って、取付基板１１を外箱２の側面部３２ａに取り付けて、収納体４を外箱２内に組み込む際に機構板１０が外箱２の側面部３２ａの内面に当たって傷が付くのを防止できるという効果に加えて、施工状態では機構板１０と取付基板１１との間に従来のような隙間が生じるのを防止できるようにりな、見栄えが良くなるうえに、隙間に害虫が入ったり、卵を産み付けるという問題もなくなる。さらに、施工時において、取付基板１１から突出しているネジ２３の頭部１２ａを機構板１０に設けた凹部１３内に収納することで、機構板１０が取付基板１１に対してワンタッチで位置決めされることとなり、機構板１０のネジ止め作業のスピードアップ化を図ることができ、施工性を向上させることができる。
【００２１】
ところで、機構板１０が薄板状の場合は、この機構板１０の取付基板１１側の面１０ａに凹部１３を設けると、図３（ｂ）のように機構板１０の取付基板１１側の面１０ａとは反対側の面１０ｂに、凹部１３による突起部１４が突出して見栄えが損なわれることがある。そこで凹部１３を機構板１０におけるダンパーカバー９内及び機構カバー８内に配置するのが望ましい。例えば図２に示すように、機構板１０におけるダンパーカバー９内の領域に３個の凹部１３を形成し、機構カバー８内の領域に３個の凹部１３を形成することにより、凹部１３による突起部１４をダンパーカバー９及び機構カバー８で覆うことができて外部から見えなくなり、機構板１０の外観を見栄え良くすることができる。
【００２２】
【発明の効果】
上述のように請求項１記載の発明にあっては、前面に開口した外箱内に収納体が収納され、収納体を外箱内から前下方に引き下ろし自在とするリンク機構を備えており、リンク機構は、一端部が収納体の側面部に回動自在に軸支されると共に他端部が外箱の側面部側に取り付けられる軸支ブロックに回動自在に軸支される前リンクと後リンクとよりなる平行リンクで構成され、前リンク又は後リンクの下端部に取り付けられる軸の少なくとも一方に、収納体を前下方に回動して引き下ろす際に抵抗となるダンパー装置が設けられてなる昇降収納装置であって、外箱の側面部の内面に取付基板がネジ具で取り付けられると共に、ダンパー装置や軸支ブロック等を保持する機構板が取付基板に取り付けられ、機構板の取付基板側の面にネジ具の頭部が収納される凹部が形成され、取付基板を取り付けたネジ具の頭部が凹部に納まるように機構板を取付基板に密着させた状態でネジ具により取付基板が外箱の側面部にネジ止めされてなるので、ネジ具の頭部に妨げられることなく機構板を取付基板に密着させることができ、従って、取付基板によって収納体を外箱内に組み込む際に機構板が外箱の側面部の内面に当たって傷が付くのを防止しながら、施工状態では機構板と取付基板との間に従来のような隙間が生じるのを防止でき、見栄えが良くなるうえに、隙間に害虫が入ったり、卵を産み付けるという問題もなくなり、さらに、施工時において、ネジ具の頭部を凹部内に収納することで機構板を取付基板に対してワンタッチで位置決めできるようになり、施工性を向上させることができる。
【００２３】
また請求項２記載の発明は、請求項１記載の効果に加えて、機構板には、ダンパー装置を覆うダンパーカバーと軸支ブロック等の機構部を覆う機構カバーとが一体に設けられ、機構板に設けられる凹部をダンパーカバー内及び機構カバー内に配置してなるので、仮に機構板の取付基板側の面とは反対側の面に、凹部による突起部が突出した場合でも、突起部をダンパーカバー及び機構カバーにより覆い隠すことができ、機構板の外観が良好となる。
【００２４】
また請求項３記載の発明は、請求項１記載の効果に加えて、取付基板に、機構板の凹部を取付基板のネジ具の頭部に対して位置決めするための折曲片を設けてなるので、機構板を折曲片に当接させることで機構板の各凹部が取付基板のネジ具の頭部に位置合わせされるので、凹部にネジ具の頭部が収納されたかどうかを外部から目で見ることができなくても、折曲片によって凹部にネジ具の頭部が収納されたことを確実に知ることができ、施工ミスを確実に防止することができる。
【図面の簡単な説明】
【図１】本発明の実施形態の一例を示す側面図である。
【図２】同上の機構板を取付基板に取り付ける動作説明図である。
【図３】（ａ）は外箱の側面部と取付基板と機構板の分解断面図、（ｂ）は図１のＡ―Ａ線断面図、（ｃ）は図１のＢ−Ｂ線断面図である。
【図４】（ａ）は図１のＣ−Ｃ線断面図、（ｂ）は取付基板の折曲片に機構板の当接部を当接させる際の動作説明図である。
【図５】同上の昇降収納装置の正面図である。
【図６】同上のダンパーカバー及び機構カバーを設けた機構板を示す正面図である。
【図７】従来例の正面図である。
【符号の説明】
１  昇降収納装置
２  外箱
３  側面部
４  収納体
５  リンク機構
６  前リンク
７  後リンク
８  機構カバー
９  ダンパーカバー
１０  機構板
１１  取付基板
１２  ネジ具
１２ａ  頭部
１３  凹部
１６  折曲片
【図１】
0003584797.tif 000002
【図２】
0003584797.tif 000003
【図３】
0003584797.tif 000004
【図４】
0003584797.tif 000005
【図５】
0003584797.tif 000006
【図６】
0003584797.tif 000007
【図７】
0003584797.tif 000008